(57)【要約】【課題】圧力安定性を高めることのできるフィードバック制御が可能なボイラを提供すること。【解決手段】燃焼率を変更して燃焼可能なボイラ１であって、ボイラ１から出力される蒸気出力のフィードバック制御によりボイラ１の燃焼状態を制御する制御装置７０を備え、制御装置７０は、ボイラ１の燃焼率を算出する燃焼率算出部７１と、ボイラ１の燃焼率が低いほど比例ゲインを低く調整し、ボイラ１の燃焼率が高いほど比例ゲインを高く調整する比例ゲイン調整部７２と、調整された比例ゲインに基づいてフィードバック制御によりボイラ１の燃焼状態を制御するフィードバック制御部７３と、を備える。【選択図】図４
2014219118.tif 000002
【特許請求の範囲】
【請求項１】
燃焼率を変更して燃焼可能なボイラであって、
前記ボイラから出力される蒸気出力のフィードバック制御により前記ボイラの燃焼状態を制御する制御部を備え、
前記制御部は、
前記ボイラの燃焼率を算出する燃焼率算出部と、
前記フィードバック制御に用いる比例ゲインを、算出した前記燃焼率に基づき調整する比例ゲイン算出部と、
調整された比例ゲインに基づいて前記フィードバック制御により前記ボイラの燃焼状態を制御するフィードバック制御部と、
を備え、
比例ゲイン調整部は、前記ボイラの燃焼率が低いほど前記比例ゲインを低く調整し、前記ボイラの燃焼率が高いほど前記比例ゲインを高く調整する、ボイラ。
【発明の詳細な説明】
【技術分野】
【０００１】
本発明は、燃焼率を変更して燃焼可能なボイラに関する。
【背景技術】
【０００２】
蒸気を発生させる蒸気ボイラにおいて、ヘッダの蒸気圧力が蒸気消費量の変動に係わらず一定の目標圧力となるように、蒸気圧力のフィードバック制御を行うことでボイラの燃焼率を制御することが一般的に行われている。このフィードバック制御では、目標圧力とヘッダの蒸気圧力との偏差に比例ゲインを乗算した値を操作量（指示蒸気量）として算出し、この操作量に応じてボイラから指示蒸気量分の蒸気が発生するように、ボイラの燃焼状態を制御する。
【０００３】
このようなフィードバック制御では、圧力安定性を高めるために比例ゲインを適切に設定する必要がある。この点、特許文献１には、燃焼するボイラの台数に応じて圧力制御比例帯を調整するボイラの台数制御方法が開示されている。この台数制御方法によれば、ボイラの台数に応じて圧力制御比例帯が変更されるため、結果として、燃焼台数によって比例ゲインも変更されることになる。
【先行技術文献】
【特許文献】
【０００４】
【特許文献１】特許第３８０８３０３号公報
【発明の概要】
【発明が解決しようとする課題】
【０００５】
ところで、特許文献１の台数制御方法では、ＰＢａ＝ＰＢ（１＋（Ｎｃ−１）Ｋ）により圧力制御比例帯（ＰＢａ）を算出するため、燃焼台数（Ｎｃ）が多いほど圧力制御比例帯（ＰＢａ）が広くなり、燃焼台数（Ｎｃ）が少ないほど圧力制御比例帯（ＰＢａ）が狭くなる。その結果、特許文献１の台数制御方法では、燃焼台数（Ｎｃ）が多い（高負荷時）ほど比例ゲインが低くなり、燃焼台数（Ｎｃ）が少ない（低負荷時）ほど比例ゲインが高くなる。
【０００６】
この点、比例ゲインを高く設定すると偏差に対して大きな操作量が算出され、比例ゲインを低く設定すると偏差に対して小さな操作量が算出される。そのため、特許文献１の台数制御方法のように、蒸気使用設備が多くの蒸気を使用している高負荷時に比例ゲインを低く設定すると、高負荷時に操作量が過少に算出され、負荷追従が遅れ高負荷時の圧力安定性が低下してしまう。同様に、蒸気使用設備があまり蒸気を使用しない低負荷時に比例ゲインを高く設定すると、低負荷時に操作量が過剰に算出され、ハンチング等の発生により低負荷時の圧力安定性が低下してしまう。
【０００７】
本発明は、このような問題に鑑みてなされたものであり、圧力安定性を高めることのできるフィードバック制御が可能なボイラを提供することを目的とする。
【課題を解決するための手段】
【０００８】
本発明は、燃焼率を変更して燃焼可能なボイラであって、前記ボイラから出力される蒸気出力のフィードバック制御により前記ボイラの燃焼状態を制御する制御部を備え、前記制御部は、前記ボイラの燃焼率を算出する燃焼率算出部と、前記フィードバック制御に用いる比例ゲインを、算出した前記燃焼率に基づき調整する比例ゲイン算出部と、調整された比例ゲインに基づいて前記フィードバック制御により前記ボイラの燃焼状態を制御するフィードバック制御部と、を備え、比例ゲイン調整部は、前記ボイラの燃焼率が低いほど前記比例ゲインを低く調整し、前記ボイラの燃焼率が高いほど前記比例ゲインを高く調整するボイラに関する。
【発明の効果】
【０００９】
本発明によれば、ボイラの燃焼率に応じて比例ゲインを適切に調整するため、圧力安定性を高めることのできるフィードバック制御が可能なボイラを提供することができる。
【図面の簡単な説明】
【００１０】
【図１】本発明の実施形態に係るボイラの概略を示す図である。
【図２】制御装置の構成を示す機能ブロック図である。
【図３】制御装置の制御フローを示す説明図である。
【図４】比例ゲイン（ＫＰ）の算出方法を示す説明図である。
【発明を実施するための形態】
【００１１】
以下、本発明のボイラの好ましい一実施形態について図面を参照しながら説明する。
本実施形態のボイラ１は、水を加熱して蒸気を生成する蒸気ボイラである。このボイラ１は、図１に示すように、缶体１０と、缶体１０に燃焼用空気を送り込む送風機２０と、缶体１０と送風機２０とを接続し燃焼用空気が流通する給気ダクト３０と、給気ダクト３０に配置されるダンパ４０と、給気ダクト３０に燃料ガスを供給する燃料供給装置５０と、缶体１０から排出される燃焼ガスが流通する排気筒６０と、缶体１０に水を供給する給水路（図示せず）と、ボイラ１の燃焼状態を制御する制御装置７０と、を備える。
【００１２】
缶体１０は、図１に示すように、ボイラ筐体１１と、複数の水管１２と、下部ヘッダ１３と、上部ヘッダ１４と、バーナ１５と、を備える。
ボイラ筐体１１は、缶体１０の外形を構成し、平面視矩形形状の直方体状に形成される。このボイラ筐体１１の長手方向の一端側に位置する第１側面１１ａには、給気口１６が形成され、ボイラ筐体１１の長手方向の他端側に位置する第２側面１１ｂには、排気口１７が形成される。
【００１３】
複数の水管１２は、ボイラ筐体１１の内部に上下方向に延びて配置されると共に、ボイラ筐体１１の長手方向及び幅方向に所定の間隔をあけて配置される。
下部ヘッダ１３は、ボイラ筐体１１の下部に配置される。下部ヘッダ１３には、複数の水管１２の下端部が接続される。
【００１４】
上部ヘッダ１４は、ボイラ筐体１１の上部に配置される。上部ヘッダ１４には、複数の水管１２の上端部が接続される。上部ヘッダ１４には、蒸気圧センサ１８が設けられる。
蒸気圧センサ１８は、信号線を介して、制御装置７０に電気的に接続されている。蒸気圧センサ１８は、上部ヘッダ１４の内部の蒸気圧力（ボイラ１で発生した蒸気の圧力）を測定し、測定した蒸気圧力に係る信号（蒸気圧信号）を制御装置７０に送信する。
【００１５】
バーナ１５は、給気口１６に配置される。
送風機２０は、ファン及びこのファンを回転させるモータを有する送風機本体２１と、ファン（モータ）の回転数を増減させるインバータ２２と、を備える。送風機２０は、インバータ２２に入力される周波数に応じて、ファンが所定の回転数で回転することで、缶体１０に燃焼用空気を送り込む。
【００１６】
給気ダクト３０は、上流側の端部が送風機２０に接続され、下流側の端部が給気口１６に接続される。給気ダクト３０は、送風機２０から送り込まれた燃焼用空気を缶体１０に供給する。
ダンパ４０は、給気ダクト３０の内部の燃焼用空気の流路を塞いだ閉状態と、この閉状態から９０度回転し、給気ダクト３０の内部の燃焼用空気の流路を開放した開状態との間で回転可能に配置される。
【００１７】
燃料供給装置５０は、ガス供給ライン５１と、このガス供給ラインに設けられる調整弁５２及びノズル５３と、を備える。
ガス供給ライン５１は、給気ダクト３０におけるダンパ４０が配置された位置よりも下流側に接続され、給気ダクト３０に燃料ガスを供給する。
調整弁５２は、給気ダクト３０に供給される燃料ガスの流通量を調整する。
ノズル５３は、ガス供給ライン５１の先端部に配置され、給気ダクト３０に燃料ガスを噴出する。
【００１８】
排気筒６０は、排気口１７に接続される。排気筒６０は、缶体１０の内部で燃料ガスが燃焼して生じた燃焼ガスを排出する。
制御装置７０は、制御部及び記憶部を備える装置であり、缶体１０への燃焼用空気の供給量及び燃焼ガスの供給量を制御することで、ボイラ１の燃焼状態（燃焼率）を制御し、ボイラ１による蒸気の生成量を調整する。
【００１９】
以上のボイラ１によれば、送風機２０により給気ダクト３０に送り込まれた燃焼用空気は、ガス供給ライン５１から供給された燃料ガスと混合され、燃料ガスと燃焼用空気との混合ガスがバーナ１５から缶体１０の内部に噴出され、燃焼される。そして、バーナ１５による混合ガスの燃焼に伴って発生する熱により、下部ヘッダ１３から複数の水管１２の内部に供給された水が加熱され、蒸気が生成される。複数の水管１２の内部において生成された蒸気は、上部ヘッダ１４に集合された後、蒸気導出管（図示せず）を介して外部に導出される。また、混合ガスの燃焼により生じた燃焼ガスは、排気筒６０から外部に排出される。
【００２０】
次に、制御装置７０によるボイラ１の燃焼状態の制御の詳細について説明する。
制御装置７０は、ボイラ１が蒸気を供給する負荷機器による蒸気の消費量に応じて、ボイラ１の燃焼率を変更し、蒸気の生成量を調整する。ここで、負荷機器の需要の増大により要求負荷（蒸気消費量）が増加し、上部ヘッダ１４に供給される蒸気量（即ち、ボイラ１から発生する蒸気量（以下「出力蒸気量」と呼ぶことがある））が不足すれば、上部ヘッダ１４の内部の蒸気圧力が減少することになる。一方、負荷機器の需要の低下により要求負荷（蒸気消費量）が減少し、上部ヘッダ１４に供給される蒸気量が過剰になれば、上部ヘッダ１４の内部の蒸気圧力が増加することになる。従って、ボイラ１は、蒸気圧センサ１８により測定された蒸気圧力の変動に基づいて、要求負荷の変動をモニターすることができる。そして、制御装置７０は、予め設定された目標圧力と上部ヘッダ１４の蒸気圧力（ヘッダ圧力）とを比較することで、蒸気量の過不足を検知することができる。
そこで、制御装置７０では、負荷機器に応じて予め設定された目標圧力とヘッダ圧力との偏差に対して、所定のＰＩＤアルゴリズムに基づくフィードバック制御を行うことで、ヘッダ圧力が目標圧力となるために必要な蒸気量（操作量）を算出し、算出した蒸気量分の蒸気がボイラ１から出力されるようにボイラ１の燃焼状態を制御する。
【００２１】
ここで、本実施形態では、ボイラ１は、燃焼率を連続的に変更可能な比例制御ボイラにより構成される。比例制御ボイラとは、少なくとも、最小燃焼状態（例えば、最大燃焼量の２０％の燃焼率における燃焼状態）から最大燃焼状態の範囲で、燃焼率が連続的に制御可能とされているボイラである。
なお、燃焼率を連続的に変更するとは、燃焼率が０．１％〜２％刻み、好ましくは１％刻みで制御される場合であっても、事実上連続的に変更することに含まれる。
【００２２】
本実施形態では、ボイラ１の燃焼停止状態と最小燃焼状態との間の燃焼率の変更は、ボイラ１（バーナ）の燃焼をオン／オフすることで制御される。そして、最小燃焼状態から最大燃焼状態の範囲においては、燃焼率が連続的に制御可能となっている。
なお、以下においては、燃焼率を２０％〜１００％の範囲で連続的に変更可能なボイラ１における燃焼状態の制御について説明する。
【００２３】
図２は、制御装置７０の制御部の構成を示す機能ブロック図である。制御装置７０の制御部は、燃焼率算出部７１と、比例ゲイン調整部７２と、フィードバック制御部７３と、を含んで構成される。
【００２４】
燃焼率算出部７１は、ボイラ１の燃焼率を算出する。ここで、燃焼率の算出は、任意の方法により行うこととしてよく、燃焼率算出部７１は、例えば、ボイラ１の燃焼状態を制御する操作量に基づいて、ボイラ１の燃焼率を算出する。
【００２５】
比例ゲイン調整部７２は、ボイラ１の燃焼状態を制御するフィードバック制御に用いる比例ゲインを、算出したボイラ１の燃焼率に基づいて調整する。詳細については、後述するが、比例ゲイン調整部７２は、ボイラ１の燃焼率が低いほど比例ゲインを低く調整し、ボイラ１の燃焼率が高いほど比例ゲインを高く調整する。
【００２６】
フィードバック制御部７３は、調整された比例ゲインに基づいてフィードバック制御によりボイラ１の燃焼状態を制御する。即ち、フィードバック制御部７３は、目標圧力とヘッダ圧力との偏差に対して、比例ゲインに基づく所定の演算を行うことで（Ｐ制御）、ヘッダ圧力が目標圧力となるために必要な蒸気量（操作量）を算出し、この操作量に基づいてボイラ１の燃焼状態を制御する。
【００２７】
続いて、図３を参照して制御装置７０の制御部の動作について説明する。図３は、制御装置７０の制御フローを示す説明図である。
【００２８】
初めに、燃焼率算出部７１がボイラ１の燃焼率を算出すると、算出した燃焼率が比例ゲイン調整部７２に供給され、比例ゲインの演算が行われる。比例ゲインの演算では、比例ゲイン調整部７２は、記憶部から比例ゲイン最大値及び比例ゲイン最小値を読み出す。
【００２９】
なお、比例ゲイン最大値（ＫＰｍａｘ）は、ボイラ１の燃焼率が１００％である場合の比例ゲインである。比例ゲイン最大値（ＫＰｍａｘ）は、ボイラ１の最大蒸気量を比例帯及びフルスケール圧力から算出される制御幅で除算することで算出され、本実施形態では予め設定しておくものとする。
比例ゲイン最大値（ＫＰｍａｘ）＝最大蒸気量／（比例帯×フルスケール圧力）
比例帯×フルスケール圧力＝制御幅
【００３０】
また、比例ゲイン最小値（ＫＰｍｉｎ）は、ボイラ１の燃焼率が２０％である場合、即ち、ボイラ１が最小燃焼状態で燃焼している場合の比例ゲインである。比例ゲイン最小値（ＫＰｍｉｎ）は、比例ゲイン最大値（ＫＰｍａｘ）に対して補正係数（Ａ）を乗算することで算出される。なお、補正係数（Ａ）は、０．１〜１．０までの間の任意の値であり、予め設定しておくものとする。
比例ゲイン最小値（ＫＰｍｉｎ）＝比例ゲイン最大値（ＫＰｍａｘ）×補正係数（Ａ）
【００３１】
これら比例ゲイン最大値（ＫＰｍａｘ）及び比例ゲイン最小値（ＫＰｍｉｎ）を記憶部から読み出すと、比例ゲイン調整部７２は、ボイラ１の燃焼率（Ｆ）、比例ゲイン最大値（ＫＰｍａｘ）及び比例ゲイン最小値（ＫＰｍｉｎ）により、現在の燃焼率（Ｆ）に基づいて比例ゲイン（ＫＰ）を算出（調整）する。
【００３２】
ここで、比例ゲイン（ＫＰ）の算出方法について図４を参照して具体的に説明する。図４は、比例ゲイン調整部７２による比例ゲイン（ＫＰ）の算出方法を示す説明図である。
図４（１）を参照して、現在の燃焼率（Ｆ）に応じた比例ゲイン（ＫＰ）は、比例ゲイン最大値（ＫＰｍａｘ）及び比例ゲイン最小値（ＫＰｍｉｎ）の２点を通る直線を用いて算出する。即ち、現在の燃焼率（Ｆ）に応じた比例ゲイン（ＫＰ）は、以下の式により算出する。
【数１】
2014219118.tif 000003
なお、αは、２点を結ぶ直線のＹ切片である。
ここで、ボイラ１から出力する出力蒸気量と燃焼率（Ｆ）とは一対一の関係にあるため、上記式は、以下のように表される。
【数２】
2014219118.tif 000004
【００３３】
なお、図４（１）では、比例ゲイン最大値（ＫＰｍａｘ）及び比例ゲイン最小値（ＫＰｍｉｎ）の２点を通る「直線」を用いて現在の燃焼率（Ｆ）に応じた比例ゲイン（ＫＰ）を算出することとしているが、これに限られるものではなく、図４（２）に示すように２点を通る任意の曲線Ｌ１，Ｌ２により算出することとしてもよい。
【００３４】
これにより、比例ゲイン調整部７２は、ボイラ１の燃焼率（Ｆ）が低いほど比例ゲイン（ＫＰ）を低く調整し、ボイラ１の燃焼率（Ｆ）が高いほど比例ゲイン（ＫＰ）を高く調整することができる。
【００３５】
図３に戻り、ボイラ１の燃焼率（Ｆ）に応じて比例ゲイン（ＫＰ）を調整すると、フィードバック制御部７３は、目標圧力とヘッダ圧力との偏差と比例ゲイン（ＫＰ）とから操作量（出力すべき蒸気量）を算出し、この操作量に基づいてボイラ１の燃焼状態を制御する。これにより、上部ヘッダ１４内の蒸気圧力が目標圧力と略一致するようにボイラ１の燃焼状態を制御することができる。
【００３６】
以上説明した本実施形態のボイラ１によれば、以下のような効果を奏する。
【００３７】
本実施形態のボイラ１においては、目標圧力とヘッダ圧力との偏差に基づくフィードバック制御によりボイラ１の燃焼状態を制御するところ、フィードバック制御に用いる比例ゲイン（ＫＰ）をボイラ１の燃焼率（Ｆ）に応じて調整する。具体的には、制御装置７０の制御部は、ボイラ１の燃焼率（Ｆ）が低いほど比例ゲイン（ＫＰ）を低く調整し、ボイラ１の燃焼率（Ｆ）が高いほど比例ゲイン（ＫＰ）を高く調整する。
これにより、高負荷時には、目標圧力とヘッダ圧力との偏差に対して大きな操作量が算出されることになるため、早急な負荷追従を実現でき、圧力安定性が向上する。また、低負荷時には、目標圧力とヘッダ圧力との偏差に対して小さな操作量が算出されることになるため、制御の安定性が向上しハンチング等の発生を防止でき、圧力安定性が向上する。
【００３８】
以上、本発明のボイラ１の好ましい一実施形態につき説明したが、本発明は、上述の実施形態に制限されるものではなく、適宜変更が可能である。
例えば、上記実施形態ではフィードバック制御についてＰ制御についてのみ説明し、その他の制御（Ｉ制御及びＤ制御）についての詳細を省略している。この点、フィードバック制御部７３が実行するフィードバック制御は、Ｐ制御に限らずＰＩ制御やＰＩＤ制御等であってもよい。
【００３９】
また、上記実施形態では、ボイラ１を比例制御ボイラにより構成することとしているが、ボイラ１は比例制御ボイラに限らず、段階値制御ボイラにより構成することとしてもよい。なお、段階値制御ボイラとは、複数の段階的な燃焼位置を有し、燃焼を選択的にオン／オフしたり、炎の大きさを調整したりすること等により燃焼量を制御して、選択された燃焼位置に応じて燃焼量を段階的に増減可能なボイラである。一例として、ボイラ１を、燃焼停止位置、低燃焼位置及び高燃焼位置の３位置を有する３位置ボイラにより、構成することとしてもよい。もちろん、ボイラ１は、３位置に限らず、任意のＮ位置の燃焼位置を有することとしてもよい。
【符号の説明】
【００４０】
１  ボイラ
７０  制御装置
７１  燃焼率算出部
７２  比例ゲイン調整部
７３  フィードバック制御部
【図１】
2014219118.tif 000005
【図２】
2014219118.tif 000006
【図３】
2014219118.tif 000007
【図４】
2014219118.tif 000008